【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
１人以上のユーザの周囲に熱的マイクロ環境を形成するコンフォートユニットであって、前記熱的マイクロ環境は、当該マイクロ環境の周囲の環境とは異なる温度を有し、
前記コンフォートユニットは、
前記熱的マイクロ環境のために空気を加熱あるいは冷却する熱規制モジュールと、
前記加熱あるいは冷却された空気を１人以上のユーザに向けて熱的マイクロ環境を形成する空気供給モジュールと、を備え、
前記熱規制モジュールは、熱交換器と、前記熱交換器に熱的に結合した蓄熱材料(ＴＳＭ)とを備え、
前記ＴＳＭは、熱を蓄積するように構成される、
ことを特徴とする環境制御システム。
【請求項２】
少なくとも１人のユーザのバイオメトリックデータを検出する１つ以上のセンサを備えた感知ユニットをさらに備え、前記バイオメトリックデータは、心拍数、皮膚コンダクタンス及び／または皮膚温度であることを特徴とする請求項１に記載の環境制御システム。
【請求項３】
前記感知ユニットは、少なくとも前記バイオメトリックデータに基づいて１人以上のユーザの快適さのレベルを判別するよう構成された第１の制御モジュールを備えることを特徴とする請求項２に記載の環境制御システム。
【請求項４】
前記第１の制御モジュールは、検出された心拍数に基づいて、高いスペクトル周波数の心拍数に対する低いスペクトル周波数の心拍数の比を算出することで、及び／または皮膚温度及び皮膚コンダクタンスと、所定の領域それぞれとを比較することで、快適さのレベルを判別することを特徴とする請求項３に記載の環境制御システム。
【請求項５】
前記熱規制モジュールは、蒸気圧縮システム(ＶＣＳ)として構成され、
前記熱規制モジュールが冷房モードで動作する場合、前記熱交換器は前記ＶＣＳのコンデンサであり、
前記ＴＳＭは、廃熱を前記コンデンサから吸収し、温度及び／または相を変化させて廃熱を蓄積し、
前記ＶＣＳと前記ＴＳＭとは、前記ＴＳＭの再チャージ、動作モードの変更、異なるＴＳＭへの変更、あるいは異なるヒートポンプ機構への変更のために前記コンフォートユニットから取り外し可能な共通の筐体内に配置されることを特徴とする請求項１に記載の環境制御システム。
【請求項６】
前記熱規制モジュールは、蒸気圧縮システム(ＶＣＳ)として構成され、
前記熱規制モジュールが冷房モードで動作する場合、前記熱交換器は前記ＶＣＳのコンデンサであり、
前記ＴＳＭは、廃熱を前記コンデンサから吸収し、温度及び／または相を変化させて廃熱を蓄積し、
前記ＴＳＭは、前記ＶＣＳとは別体のカセットあるいは容器内に配置され、前記カセットあるいは容器は、前記ＴＳＭの再チャージ、動作モードの変更、あるいは異なるＴＳＭへの変更のために前記コンフォートユニットから取り外し可能であることを特徴とする請求項１に記載の環境制御システム。
【請求項７】
前記熱規制モジュールは、蒸気圧縮システム(ＶＣＳ)として構成され、
前記熱規制モジュールが冷房モードで動作する場合、前記熱交換器は前記ＶＣＳのコンデンサであり、
前記ＴＳＭは、廃熱を前記コンデンサから吸収し、温度及び／または相を変化させて廃熱を蓄積し、
前記ＴＳＭは、内層及び個別の外層とを備える容器内に配置され、前記内層は前記外層とは異なる断熱特性を有し、前記外層は前記容器の断熱効率を変更するために前記内層から取り外し可能であることを特徴とする請求項１に記載の環境制御システム。
【請求項８】
前記ＴＳＭは、相を変化することで熱を蓄積する相変化材料(ＰＣＭ)を備え、
前記ＰＣＭは、３Ｄ多孔質構造を備え、前記３Ｄ多孔質構造の空隙は、前記ＰＣＭと空気との間の熱交換のために空気が流れる流路であることを特徴とする請求項１に記載の環境制御システム。
【請求項９】
前記熱交換器は、放射状に伸びるフィンを備えた１本以上のチューブを備え、前記ＴＳＭはフィンと熱的に接触し、あるいは、前記熱交換器は、前記ＴＳＭと前記熱交換器との間の接触面積を増加させる１つ以上の金属あるいはプラスチックインサートを備えることを特徴とする請求項１に記載の環境制御システム。
【請求項１０】
前記コンフォートユニットは、前記熱規制モジュール及び前記空気供給モジュールをその上に支持し、ユーザの環境内で前記コンフォートユニットを移動させるように構成されたロボット工学上のプラットフォームをさらに備えることを特徴とする請求項１に記載の環境制御システム。
【請求項１１】
前記コンフォートユニットは、環境内で少なくとも１人のユーザを追いかけるため、前記ロボット工学上のプラットフォームを制御するよう構成された制御モジュールをさらに備えることを特徴とする請求項１０に記載の環境制御システム。
【請求項１２】
前記コンフォートユニットは、環境内の所定の経路を追跡するように前記ロボット工学上のプラットフォームを制御するよう構成された制御モジュールをさらに備えることを特徴とする請求項１０に記載の環境制御システム。
【請求項１３】
前記コンフォートユニットを再チャージするためのチャージングステーションであって、コンフォートユニットが結合された場合に前記ＴＳＭの温度及び／または相を変更するように構成されたチャージングステーションをさらに備えることを特徴とする請求項１に記載の環境制御システム。
【請求項１４】
前記チャージングステーションは、前記コンフォートユニットのバッテリもチャージするよう構成されることを特徴とする請求項１３に記載の環境制御システム。
【請求項１５】
前記ＴＳＭを収容する取り外し可能な容器あるいは取り外し可能なカートリッジがチャージングステーションに結合された場合、前記ＴＳＭの温度及び／または相を変更することにより、前記ＴＳＭを再チャージするように構成されたチャージングステーションを備えることを特徴とする請求項１に記載の環境制御システム。
【請求項１６】
前記コンフォートユニットは、前記ＴＳＭの温度あるいは相を変更する内蔵式再生モジュールをさらに備え、前記ＴＳＭは前記熱交換器を流れる空気の加熱あるいは冷却を提供することを特徴とする請求項１に記載の環境制御システム。
【請求項１７】
前記内蔵式再生モジュールは、蒸気圧縮システムを備えることを特徴とする請求項１６に記載の環境制御システム。
【請求項１８】
前記コンフォートユニットは、ユーザの１つ以上の画像を取得するよう構成されたカメラを備え、前記カメラは、赤外線(ＩＲ)カメラであることを特徴とする請求項１に記載の環境制御システム。
【請求項１９】
前記コンフォートユニットは、前記ＩＲカメラに結合され、前記１つ以上の画像から、断熱及び／またはユーザの衣服の着用のレベルを判別するよう構成された制御モジュールを備えることを特徴とする請求項１８に記載の環境制御システム。
【請求項２０】
前記の環境の温度を規制する空調ユニットをさらに備え、
前記空調ユニットは、前記熱的なマイクロ環境と異なる環境の温度を維持する、
ことを特徴とする請求項１に記載の環境制御システム。
【請求項２１】
前記環境の維持された温度は、前記熱的なマイクロ環境の温度に対して少なくとも４℃上あるいは下であることを特徴とする請求項２０に記載の環境制御システム。
【請求項２２】
少なくとも前記空調ユニットを制御する中央制御ユニットをさらに備え、
前記中央制御ユニットは、全体的なエネルギ消費及び前記感知ユニット及び／または前記コンフォートユニットからの信号に基づいて環境の温度を調整することを特徴とする請求項２０に記載の環境制御システム。
【請求項２３】
前記熱規制モジュールはサーモサイフォンとして構成される、ことを特徴とする請求項１に記載の環境制御システム。
【請求項２４】
前記コンフォートユニットは、
１つ以上の画像を取得するよう構成されたカメラと、
前記１つ以上の画像から前記ユーザの少なくとも一部を検出するよう構成された制御モジュールと、
を備えることを特徴とする請求項１に記載の環境制御システム。
【請求項２５】
前記環境制御システムは、同時に放熱することなく加熱あるいは冷却を提供する移動可能な独立した装置として構成されることを特徴とする請求項１に記載の環境制御システム。
【請求項２６】
前記コンフォートユニット、前記熱規制モジュール、前記空気供給モジュール、及び／または前記ロボット工学上のプラットフォームに電力を供給する蓄電装置をさらに備えることを特徴とする請求項１０に記載の環境制御システム。